(57)【要約】【課題】前面部に設けられる意匠部を構成する部材の取付部を隠すことで、前面部の見栄えを向上させることができる遊技機を提供する。【解決手段】遊技機の前面部に設ける意匠部３５は透光性を有する透光性意匠部材１０５と不透明な不透明意匠部材１１１とを有し、透光性意匠部材１０５と不透明意匠部材１１１との取付部が不透明意匠部材１１１の裏側に配置されることで、当該不透明意匠部材１１１によって取付部の全部が前面部の前方から見て隠されているので、面部の見栄えを向上させることができる。【選択図】図１２
2018153456.tif 000002
【特許請求の範囲】
【請求項１】
前面部に意匠部が設けられた遊技機であって、
前記意匠部は透光性を有する透光性意匠部材と不透明な不透明意匠部材とを有し、
前記透光性意匠部材および前記不透明意匠部材を含む前記意匠部を構成する部材どうしの取付部が前記不透明意匠部材の裏側に配置されることで、当該不透明意匠部材によって前記取付部の全部が前記前面部の前方から見て隠されていることを特徴とする遊技機。
【請求項２】
前面部に意匠部が設けられた遊技機であって、
前記意匠部は透光性を有する透光性意匠部材と不透明な不透明意匠部材とを有し、
前記透光性意匠部材および前記不透明意匠部材を含む前記意匠部を構成する部材どうしの取付部が前記不透明意匠部材の裏側に配置されることで、当該不透明意匠部材によって前記取付部の一部が前記前面部の前方から見て隠されていることを特徴とする遊技機。
【請求項３】
前記透光性意匠部材がレンズ部材であり、
前記レンズ部材の後方に発光素子が設けられていることを特徴とする請求項１または２に記載の遊技機。
【発明の詳細な説明】
【技術分野】
【０００１】
本発明は、前面部に意匠部が設けられた遊技機に関する。
【背景技術】
【０００２】
従来、スロットマシンなどの遊技機において、遊技機の前面部に、遊技の演出等を行う照明装置が設けられている（例えば特許文献１参照）。近年の遊技機における照明装置は、複数のＬＥＤが実装されたＬＥＤ基板の他、レンズや意匠部を備えている。例えば、意匠を施した意匠パネルにレンズを設けたり、レンズの外形を適宜変形して、レンズ自体に意匠性を持たせたりしている。
また、照明装置の他にも遊技機の前面部には、遊技機の前面部を装飾するために意匠部が設けられる場合もある。このような意匠部としては、例えば、その一部を透光性を有する透光性意匠部材によって構成する場合もある。
【先行技術文献】
【特許文献】
【０００３】
【特許文献１】特開２０１４−１９３３３６号公報
【発明の概要】
【発明が解決しようとする課題】
【０００４】
ところで、遊技機の前面部に意匠部を設ける場合、この意匠部を遊技機の前面部に取り付けたり、意匠部を構成する各意匠部材を例えば意匠部のベース部材に取り付けたりする場合に、ねじや、このねじをねじ込むためのねじ穴が形成されたボス等の取付部が必要となる。
一方、意匠部が透光性を有する透光性意匠部材を有する場合、この透光性意匠部材をベース部材に取り付けるための取付部は、透光性意匠部材を通して遊技者が視認可能となっているため、遊技機の前面部の見栄えが良くないという問題がある。
また、意匠部を構成する他の部材をベース部材等に取り付ける場合においても、他の部材の取付け用の取付部が透光性意匠部材の裏側にあると、この取付部は透光性意匠部材を通して遊技者が視認可能となっているため、遊技機の前面部の見栄えが良くないという問題がある。
【０００５】
本発明は、前記事情に鑑みてなされたもので、前面部に設けられる意匠部を構成する部材の取付部を隠すことで、前面部の見栄えを向上させることができる遊技機を提供することを目的とする。
【課題を解決するための手段】
【０００６】
前記目的を達成するために、本発明の遊技機は、前面部に意匠部が設けられた遊技機であって、
前記意匠部は透光性を有する透光性意匠部材と不透明な不透明意匠部材とを有し、
前記透光性意匠部材および前記不透明意匠部材を含む前記意匠部を構成する部材どうしの取付部が前記不透明意匠部材の裏側に配置されることで、当該不透明意匠部材によって前記取付部の全部が前記前面部の前方から見て隠されていることを特徴とする。
【０００７】
本発明においては、意匠部を構成する部材どうしの取付部が不透明意匠部材の裏側に配置されることで、当該不透明意匠部材によって取付部の全部が遊技機の前面部の前方から見て隠されているので、前面部の見栄えを向上させることができる。
【０００８】
また、本発明の別の遊技機は、前面部に意匠部が設けられた遊技機であって、
前記意匠部は透光性を有する透光性意匠部材と不透明な不透明意匠部材とを有し、
前記透光性意匠部材および前記不透明意匠部材を含む前記意匠部を構成する部材どうしの取付部が前記不透明意匠部材の裏側に配置されることで、当該不透明意匠部材によって前記取付部の一部が前記前面部の前方から見て隠されている。
【０００９】
本発明においては、意匠部を構成する部材どうしの取付部が不透明意匠部材の裏側に配置されることで、当該不透明意匠部材によって取付部の一部が遊技機の前面部の前方から見て隠されているので、前面部の見栄えを向上させることができる。
【００１０】
また、本発明の前記構成において、前記透光性意匠部材がレンズ部材であり、
前記レンズ部材の後方に発光素子が設けられていてもよい。
【００１１】
このような構成によれば、レンズ部材の後方に設けられている発光素子の光によって意匠部を構成する部材どうしの取付部が照らされるが、取付部の全部または一部が不透明意匠部材によって遊技機の前面部の前方から見て隠されているので、取付部が発光素子からの光によって照らされても、当該取付部やその影が遊技機の前面部の前方から見えるのを抑えることができる。
【発明の効果】
【００１２】
本発明によれば、遊技機の前面部に設けられる意匠部を構成する部材どうしの取付部の全部または一部が不透明意匠部材によって隠されるので、前面部の見栄えを向上させる。
【図面の簡単な説明】
【００１３】
【図１】本発明の実施の形態に係る遊技機の一例を示すもので、その斜視図である。
【図２】同、意匠部の斜視図である。
【図３】同、意匠部の分解斜視図である。
【図４】同、カバー部材を斜め前方から見た斜視図である。
【図５】同、カバー部材を斜め後方から見た斜視図である。
【図６】同、取付ベースの背面図である。
【図７】同、取付ベースにカバー部材を取り付けた状態を示すもので、斜め後方から見た斜視図である。
【図８】同、レンズ部材を斜め後方から見た分解斜視図である。
【図９】同、レンズ部材を斜め前方から見た分解斜視図である。
【図１０】同、他のレンズ部材を斜め後方から見た分解斜視図である。
【図１１】同、取付ベースにカバー部材およびレンズを取り付けた状態を示すもので、斜め後方から見た斜視図である。
【図１２】同、意匠部の正面図である。
【図１３】同、レンズを取り外した状態を示す意匠部の正面図である。
【図１４】同、意匠部の分解斜視図である。
【図１５】同、取付ベースからリフレクタを取り外した状態を示すもので、斜め後方から見た斜視図である。
【図１６】同、取付ベースにリフレクタを取り付けた状態を示すもので、斜め後方から見た斜視図である。
【図１７】同、ＬＥＤ基板を取り付けた状態を示す基板取付ベースの正面図である。
【図１８】同、意匠部の長手方向中央部における側断面図である。
【図１９】同、意匠部のボス部分おける側断面図である。
【図２０】同、意匠部の他のボス部分おける側断面図である。
【発明を実施するための形態】
【００１４】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１５】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１６】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１７】
図１に示すように、上扉３０の下部には表示窓３１が設けられている。この表示窓３１は上側ほど後側に向かうように水平面に対して傾斜して設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた液晶表示パネルを有する表示ユニットの表示面を見るために設けられたものであり、この表示ユニットでは、その表示面に遊技機における演出用の画像が表示されるようになっている。
また、上扉３０の表示窓３２の上部には、報知や演出などを行うための照明装置３５が設けられている。また、上扉３０の左右両側部には、報知や演出などを行うための照明装置３８が合計４個設けられている。
【００１８】
また、上扉３０は、筐体１内に設けられた交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１９】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２０】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２１】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２２】
前記照明装置３５は、遊技機Ｍの前面部に設けられた意匠部３５を構成している。
この意匠部３５は、図２および図３に示すように、取付ベース１００と、リフレクタ１０１と、基板取付ベース１０２と、基板取付ベース１０２に取り付けられたＬＥＤ基板１５０と、カバー部材１０４と、レンズ１０５，１０６とを備えている。
【００２３】
カバー部材１０４は、図４および図５に示すように、取付ベース１００の前面の略中央部に取り付けられる透明な前面カバー１１０と、この前面カバー１１０に連結されるレンズカバー１１１，１１２と、装飾部材１１３とから構成されている。レンズカバー１１１，１１２の裏面の下端部には、ボス１１１ａ，１１２ａが設けられており、当該ボス１１１ａ，１１２ａが前面カバー１１０の下端部に左右離間して形成された孔１１０ｈ（図３参照）に挿通されるとともに、装飾部材１１３に左右離間して形成された孔１１３ｈに挿通されている。これによって、前面カバー１１０、レンズカバー１１１，１１２および装飾部材１１３は連結されて、カバー部材１０４を構成している。また、ボス１１１ａ，１１２ａにはそれぞれねじ孔が形成されている。
レンズカバー１１１，１１２は、その前面と外周面に金の蒸着膜が形成されることで、不透明な不透明意匠部材１１１，１１２を構成している。また、装飾部材１１３は、その全面に金の蒸着膜が形成されることで、不透明な不透明意匠部材１１３を構成している。
また、前面カバー１１０の裏面の上部にはボス１１０ａ，１１０ｂが設けられ、当該ボス１１０ａ，１１０ｂにはねじ孔が形成されている。なお、前面カバー１１０の表面の上部には金の蒸着膜で形成された装飾部１１０ｃが設けられている。
また、レンズカバー１１１，１１２には、レンズ１０５，１０６を嵌め込むための嵌合孔１１１ｋ，１１２ｋが形成されている。
【００２４】
取付ベース１００は、樹脂で形成されており、その前面部およびこの前面部の縁部に一体的に形成された上下の壁部および左右の壁部の表面部には金の蒸着膜が形成されている。また、取付ベース１００の前面や左右側面には凹凸形状に形成された装飾部が形成されている。
このような取付ベース１００は、その表面全体に金の蒸着膜が形成されることで、不透明な不透明意匠部材１００を構成している。
また、取付ベース１００には、図３に示すように、その左右両側にそれぞれ嵌合孔１００ａ，１００ｂが左右に離間して形成されており、当該嵌合孔１００ａ，１００ｂに、レンズカバー１１１，１１２が嵌め込まれている。
【００２５】
すなわちまず、レンズカバー１１１，１１２の外周面形状は、嵌合孔１００ａ，１００ｂの内周面形状とほぼ等しくなっており、これによって、嵌合孔１００ａ，１００ｂにレンズカバー１１１，１１２が嵌め込まれている。
また、図５に示すように、レンズカバー１１１の裏面には、上述したボス１１１ａの他に、ボス１１１ｂ，１１１ｃが設けられ、レンズカバー１１２の裏面には、上述したボス１２ａの他に、ボス１１２ｂが設けられている。
一方、図６に示すように、取付ベース１００の前面には、嵌合孔１００ａの外周側に３つの貫通孔１１５ａ，１１５ｂ，１１５ｃが形成され、嵌合孔１００ｂの外周側に３つの貫通孔１１６ａ，１１６ｂ，１１６ｃが形成されている。
そして、レンズカバー１１１のボス１１１ａ，１１１ｂが貫通孔１１５ａ，１１５ｂに挿入され、レンズカバー１１２のボス１１２ａ，１１２ｂが貫通孔１１６ａ，１１６ｂに挿入されたうえで、図７に示すように、ボス１１１ａ，１１１ｂおよびボス１１２ａ，１１２ｂにそれぞれ形成されたねじ孔にねじ１１８がそれぞれねじ込まれることによって、レンズカバー１１１，１１２が取付ベース１００に固定されている。
【００２６】
また、図６および図７に示すように、取付ベース１００には、略円筒状のボス１２０，１２１が左右に離間して形成されている。ボス１２０は嵌合孔１００ａの外周上部に配置されており、その外周部の一部が嵌合孔１００ａの内側に突出している。このボス１２０の中央部に前記貫通孔１１５ｃが形成されている。
ボス１２１は嵌合孔１００ｂの外周上部に配置されており、その外周部の一部が嵌合孔１００ｂの内側に突出している。このボス１２１の中央部に前記貫通孔１１６ｃが形成されている。
そして、前面カバー１１０のボス１１０ａ，１１０ｂが取付ベース１００の前面側から当該取付ベース１００のボス１２０，１２１の貫通孔１１５ｃ，１１６ｃに挿入されたうえで、ねじ１２２，１２２が取付ベース１００側からボス１１０ａ，１１０ｂに形成されたねじ孔にねじ込まれることによって、前面カバー１１０が取付ベース１００に固定されている。
また、上述したように、レンズカバー１１１，１１２のボス１１１ａ，１１２ａは前面カバー１１０の下端部に形成された孔１１３ｈ，１１３ｈに挿通されているので、この孔１１３ｈ，１１３ｈから突出するボス１１１ａ，１１２ａが取付ベース１００の貫通孔１１５ａ，１１６ａに挿入されたうえで、当該ボス１１１ａ，１１２ａに形成されているねじ孔にそれぞれねじ１１８がねじ込まれることによっても、前面カバー１１０がレンズカバー１１１，１１２とともに取付ベース１００に固定されている。
【００２７】
また、レンズカバー１１１，１１２にはレンズ１０５，１０６が嵌め込まれている。
すなわちまず、図８〜図１０に示すように、レンズカバー１１１，１１２の嵌合孔１１１ｋ，１１２ｋの内周面形状は、レンズ１０５，１０６の外周面形状とほぼ等しくなっており、これによって、レンズカバー１１１，１１２の嵌合孔１１１ｋ，１１２ｋに、レンズ１０５，１０６が嵌め込まれている。
また、レンズカバー１１１の嵌合孔１１１ｋの内周面でかつレンズカバー１１１の前面側には、レンズ１０５の外周縁部が当接する当接面１１１ｆが周方向に沿って形成されている。したがって、レンズカバー１１１の嵌合孔１１１ｋにレンズ１０５を嵌め込んで、その外周縁部を当接面１１１ｆに当接することによって、レンズ１０５はレンズカバー１１１からその前方に逸脱しないようになっている。
また、レンズカバー１１１はその内側に突出する突出部１１１Ａを有しており、この突出部１１１Ａに前記ボス１１１ｃが設けられている。このボス１１１ｃにはねじ孔が形成されている。この突出部１１１Ａにも金の蒸着膜が形成されており、この突出部１１１Ａによってボス１１１ｃ、後述するボス１０５ａおよびねじ１１９がレンズカバー１１１の前面側から見て隠されている。
一方、レンズ１０５の裏面の略中央部にはボス１０５ａが設けられている。このボス１０５ａは内部が円筒状の空洞部１０５ｂとなっている。
そして、レンズカバー１１１の嵌合孔１１１ｋにレンズ１０５が嵌め込まれるとともに、ボス１１１ｃをボス１０５ａの空洞部１０５ｂに挿入したうえで、ねじ１１９をボス１０５ａの頂部を通してボス１１１ｃのねじ孔にねじ込むことによって、レンズカバー１１１にレンズ１０５が固定されている。レンズ１０５は透光性を有するので、透光性意匠部材を構成している。
また、レンズカバー１１１はその外周前面部でかつボス１１１ａの前方に外側に突出する突出部１１１Ｂを有している。この突出部１１１Ｂにも金の蒸着膜が形成されており、この突出部１１１Ｂによってボス１１１ａがレンズカバー１１１の前面側から見て隠されている。
さらに、レンズカバー１１１はその外周前面部でかつボス１１１ｂの前方に外側に突出する突出部１１１Ｃを有している。この突出部１１１Ｃにも金の蒸着膜が形成されており、この突出部１１１Ｃによってボス１１１ｂがレンズカバー１１１の前面側から見て隠されている。
【００２８】
また、図１０に示すように、レンズカバー１１２の内周面でかつレンズカバー１１２の前面側には、レンズ１０６の外周縁部が当接する当接面１１２ｆが周方向に沿って形成されている。したがって、レンズカバー１１２の嵌合孔１１２ｋにレンズ１０６を嵌め込んで、その外周縁部を当接面１１２ｆに当接することによって、レンズ１０６はレンズカバー１１２からその前方に逸脱しないようになっている。
また、レンズカバー１１２はその外周前面部でかつボス１１２ａの前方に外側に突出する突出部１１２Ｂを有している。この突出部１１２Ｂにも金の蒸着膜が形成されており、この突出部１１２Ｂによってボス１１２ａがレンズカバー１１２の前面側から見て隠されている。
また、レンズカバー１１２はその外周前面部でかつボス１１２ｃの前方に内側に突出する突出部１１２Ｃを有している。この突出部１１ＣＢにも金の蒸着膜が形成されており、この突出部１１２Ｃによってボス１１２ｂがレンズカバー１１２の前面側から見て隠されている。
さらに、レンズカバー１１２の当接面１１２ｆのうち、後述する一方の凸部１１２ｇが設けられている部分１１２ｈは後述する取付部１２５の外周部の略半分の前方に設けられるようになっており、この部分１１２ｈにも金の蒸着膜が形成されている。
また、レンズ１０６の上部における当接面１１２ｆには、一対の凸部１１２ｇ，１１２ｇが左右に離間して設けられ、一方、レンズ１０６の上部には貫通孔１０６ａ，１０６ａが左右に離間して形成されている。
そして、レンズカバー１１２の嵌合孔１１２ｋにレンズ１０６が嵌め込まれるとともに、凸部１１２ｇ，１１２ｇが貫通孔１０６ａ，１０６ａに挿入されることによって、レンズ１０６はレンズカバー１１２の内側においてレンズ１０６の面方向において位置決めがなされている。
上述したレンズ１０５と異なり、レンズ１０６をレンズカバー１１２の嵌合孔１１２ｋに嵌め込んだ状態において、レンズ１０６はレンズカバー１１２に固定されていない。
【００２９】
しかし、図１１に示すように、レンズ１０６がレンズカバー１１２とともに取付ベース１００の嵌合孔１００ｂに嵌め込まれた状態において、取付ベース１００のボス１２１の外周の一部およびこのボス１２１の下端面に当接している前面カバー１１０のボス１１０ｂの根本の周囲の一部が嵌合孔１００ｂに内側に突出している。ボス１１０ｂはボス１２１に挿入されてねじ１２２によって固定されているので、ボス１１０ｂおよびボス１２１を前面カバー（カバー部材）１１０と取付ベース１００との取付部１２５とする。
この取付部１２５は、その外周部の略半分が嵌合孔１００ｂの内側に突出しており、この取付部１２５がレンズ１０６の面と直交する方向においてレンズ１０６と重なっているので、レンズ１０６はレンズカバー１１２の当接面１１２ｆと取付部１２５との間でレンズ１０６の面と直交する方向に移動可能であるが、移動しても取付部１２５にレンズ１０６が当たる。このため、新たに固定用部材を追加することなく、ねじ止めによらずともレンズ１０６の取付ベース１００からの抜け落ちを防止できる。また、レンズ１０６の外周縁部が当接面１１２ｆに当接しているので、レンズ１０６レンズカバー１１２から前方に抜け出ることもない。
また、後述するようにリフレクタ（押付部材）１０１によってレンズ１０６の表面縁部がレンズカバー１１２の当接面１１２ｆに押し付けられているので、レンズ１０６をレンズカバー１１２を介して取付ベース１００に確実に取り付け固定できる。また、ＬＥＤ基板１５０のＬＥＤ１５０ａからの光をリフレクタ１０１によって反射してレンズ１０５，１０６に照らすことができる。
また、レンズ１０５はレンズカバー１１１にねじ１１９によって固定されているので、レンズカバー１１１からその前方および後方に抜け出ることはない。
【００３０】
このように、取付ベース１００、前面カバー１１０、レンズ１０５，１０６、レンズカバー１１１，１１２および装飾部材１１３は、図１１に示すように、一体化されるので、その後の組付けや搬送が容易となる。
なお、図７に示すように、取付ベース１００の略中央部には円形状の大きな開口部１００ｃが形成され、この開口部１００ｃには略半球状で内部が空洞のボールベース１２８（図３参照）と、このボールベース１２８に設けられ、当該ボールベース１２８の内部の空洞に断面円弧状に張り出すインナーレンズ１２９（図１１参照）が設けられている。
【００３１】
以上のような構成において、レンズ１０５，１０６および前面カバー１１０は透明な樹脂で形成されているので、透光性意匠部材を構成し、取付ベース１００、レンズカバー１１１，１１２および装飾部材１１３は、少なくとも意匠部３５の前面側を向く表面に金の蒸着膜が形成されているので、不透明意匠部材を構成する。
そして、図８に示すように、透光性意匠部材１０５であるレンズ１０５は、不透明意匠部材１１１であるレンズカバー１１１に、ボス１１１ｃをボス１０５ａの空洞部１０５ｂに挿入し、ねじ１１９をボス１１１ｃのねじ孔にねじ込むことによって取り付けられる。
図１３に示すように、このようなボス１１１ｃ、ボス１０５ａおよびねじ１１９を取付部Ｔ１とすると、この取付部Ｔ１は図１２に示すように、レンズカバー（不透明意匠部材）１１１の突出部１１１Ａの裏側に配置されることで、当該突出部１１１Ａによって取付部Ｔ１の全部が遊技機の前面部の前方から見て隠されている。
【００３２】
また、不透明意匠部材１００である取付ベース１００には、不透明意匠部材１１１であるレンズカバー１１１が貫通孔１１５ａにボス１１１ａを挿入してねじ１１８をねじ込むことによって取り付けられる。
図１３に示すように、このような貫通孔１１５ａ、ボス１１１ａおよびねじ１１８を取付部Ｔ２とすると、この取付部Ｔ２は図１２に示すように、レンズカバー１１１の突出部１１１Ｂの裏側に配置されることで、当該外周突出部１１１Ｂによって取付部Ｔ２の全部が遊技機の前面部の前方から見て隠されている。
また、不透明意匠部材１００である取付ベース１００には、不透明意匠部材１１１であるレンズカバー１１１が貫通孔１１５ｂにボス１１１ｂを挿入してねじ１１８をねじ込むことによって取り付けられる。
図１３に示すように、このような貫通孔１１５ｂ、ボス１１１ｂおよびねじ１１８を取付部Ｔ３とすると、この取付部Ｔ３は図１２に示すように、レンズカバー１１１の略三角形状に形成された突出部１１１Ｃの裏側に配置されることで、当該突出部１１１Ｃによって取付部Ｔ３の全部が遊技機の前面部の前方から見て隠されている。
【００３３】
また、不透明意匠部材１００である取付ベース１００には、不透明意匠部材１１２であるレンズカバー１１２が貫通孔１１６ａにボス１１２ａを挿入してねじ１１８をねじ込むことによって取り付けられる。
図１３に示すように、このような貫通孔１１６ａ、ボス１１２ａおよびねじ１１８を取付部Ｔ４とすると、この取付部Ｔ４は図１２に示すように、レンズカバー１１２の突出部１１２Ｂの裏側に配置されることで、当該外周突出部１１２Ｂよって取付部Ｔ４の全部が遊技機の前面部の前方から見て隠されている。
また、不透明意匠部材１００である取付ベース１００には、不透明意匠部材１１２であるレンズカバー１１２が貫通孔１１６ｂにボス１１２ｂを挿入してねじ１１８をねじ込むことによって取り付けられる。
図１３に示すように、このような貫通孔１１６ｂ、ボス１１２ｂおよびねじ１１８を取付部Ｔ５とすると、この取付部Ｔ５は図１２に示すように、レンズカバー１１２の突出部１１２Ｃの裏側に配置されることで、当該突出部１１２Ｃによって取付部Ｔ５の全部が遊技機の前面部の前方から見て隠されている。
このように、上述した取付部Ｔ１〜Ｔ５はレンズカバー１１１，１１２によって取付部の全部が遊技機の前面部の前方から見て隠されているので、遊技機の前面部の見栄えを向上させることができる。
また、図１１に示すように、取付ベース１００の嵌合孔１００ｂ（図３参照）に嵌め込まれたレンズカバー１１２の内側に取付部１２５の外周部の一部（略半分）が突出してレンズ１０６側に張り出しているが、この取付部１２５の外周部の他の一部（略半分）は、レンズカバー（不透明意匠部材）１１２の内側に突出している部分１１２ｈの裏側に配置されることで、当該部分１１２ｈによって取付部１２５の一部が遊技機の前面部の前方から見て隠されているので、前面部の見栄えを向上させることができる。
また、リフレクタ（押付部材）１０１によってレンズ１０６の表面縁部がレンズカバー１１２の当接面１１２ｆに押し付けられることで、レンズ１０６がレンズカバー１１２に固定されているので、レンズ１０６をレンズカバー１１２に固定するためのボスやねじをレンズ１０６に設ける必要がない。したがって、この点においても前面部の見栄えを向上させることができる。また、リフレクタ（押付部材）１０１によってレンズ１０６の表面縁部がレンズカバー１１２の当接面１１２ｆに押し付けられているので、レンズ１０６の表面縁部がレンズカバー１１２の当接面１１２ｆに密着する。したがって、レンズ１０６とレンズカバー１１２との間からの光漏れを防止できる。
なお、本実施の形態では、リフレクタ１０１によって、レンズ１０６の表面縁部をレンズカバー１１２の当接面１１２ｆに押し付けるようにしたが、このリフレクタ１０１以外の部材で押付部材を構成し、この押付部材によってレンズ１０６の表面縁部をレンズカバー１１２の当接面１１２ｆに押し付けてもよい。
【００３４】
次に、図１１に示す、取付ベース１００、前面カバー１１０、レンズ１０５，１０６、レンズカバー１１１，１１２、インナーレンズ１２９、ボールベース１２８等が一体化された組立体１３０には、リフレクタ（中間部材）１０１が取り付けられている。このリフレクタ１０１は、取付ベース（意匠部材）１００と基板取付ベース１０２との間に設けられて、取付ベース１００が当接されるものである。また、リフレクタ１０１には、取付ベース１００の他にカバー部材１０４、基板取付ベース１０２の他にインナーレンズ（意匠部材）１２９、レンズ１０５，１０６（意匠部材）等が当接している。
すなわちまず、図１５に示すように、取付ベース１００の裏面には、４本のボス１３１〜１３４が形成されている。
ボス１３１は上述した部分１１１Ｃの裏側に配置されており、当該部分１１１Ｃによってボス１３１の全部が遊技機の前面部の前方から見て隠されている。
ボス１３２はインナーレンズ１２９の外周側でかつ下部に形成されているが、装飾部材１１３の裏側に配置され、当該装飾部材１１３によってボス１３２の全部が遊技機の前面部の前方から見て隠されている。
ボス１３３は、上述した外周突出部１１２Ｃの裏側に配置されており、当該外周突出部１１２Ｃによってボス１３３の全部が遊技機の前面部の前方から見て隠されている。
ボス１３４は、インナーレンズ１２９の外周側でかつ上部に形成されているが、取付ベース１００の上部の裏側に配置され、当該取付ベース１００の上部によってボス１３４の全部が遊技機の前面部の前方から見て隠されている。
【００３５】
一方、リフレクタ１０１には、ボス１３１〜１３４に対応させて、４つの貫通孔が形成されており、４つの貫通孔の外周部にボス１３１〜１３４を当接して、リフレクタ１０１の裏面側からねじ１３５をボス１３１〜１３４にそれぞれ形成されたねじ孔にねじ込むことによってリフレクタ１０１が取付ベース１００に固定されている。
また、リフレクタ１０１の前面部には筒状リフレクタ１４１，１４２が左右に離間して設けられ、筒状リフレクタ１４１，１４２間には、円環状の環状リフレクタ１４３が設けられている。
【００３６】
筒状リフレクタ１４１の外周面形状は、取付ベース１００の嵌合孔１００ａおよびレンズカバー１１１の内周面形状に沿って形成され、さらに、筒状リフレクタ１４１は、嵌合孔１００ａおよびレンズカバー１１１の内側に嵌合可能となっている。
また、筒状リフレクタ１４２の外周面形状は、取付ベース１００の嵌合孔１００ｂおよびレンズカバー１１２の内周面形状に沿って形成され、さらに、筒状リフレクタ１４２は、嵌合孔１００ｂおよびレンズカバー１１２の内側に嵌合可能となっている。
また、環状リフレクタ１４３は、筒状リフレクタ１４１，１４２より軸方向の長さが短くなっており、インナーレンズ１２９の外周フランジ部に当接可能となっている。
そして、筒状リフレクタ１４１，１４２を嵌合孔１００ａ，１００ｂおよびレンズカバー１１１，１１２の内側に嵌合させるとともに、環状リフレクタ１４３をインナーレンズ１２９の外周フランジ部に当接することによって、リフレクタ１０１が取付ベース１００に嵌め込まれている。
そして、図１６に示すように、リフレクタ１０１が取付ベース１００に嵌め込まれた状態で、リフレクタ１０１の裏面側からねじ１３５をボス１３１〜１３４（図１５参照）にそれぞれ形成されたねじ孔にねじ込むことによってリフレクタ１０１が取付ベース１００に固定されている。
【００３７】
また、リフレクタ１０１が取り付けられた取付ベース１００には、基板取付ベース１０２が取り付けられている。
すなわちまず、リフレクタ１０１の裏面の上部には、図１６に示すように、ボス１４５，１４５が左右に離間して形成されており、下部にはボス１４６，１４６が左右に離間して形成されている。ボス１４５，１４５は筒状リフレクタ１４１，１４２の上側に形成され、ボス１４６，１４６は環状リフレクタ１４３の下部でかつ外周側に形成されている。また、ボス１４５，１４６にはねじ孔が形成されている。
また、リフレクタ１０１の裏面上縁部には上壁１４７が左右に延在して形成され、この上壁１４７の両端部に側壁１４８が上壁１４７と直角に形成されている。上壁１４７の一端部は筒状リフレクタ１４１の根本の端部（図１６において右端部）に位置し、他端部は筒状リフレクタ１４２の根本の端部（図１６において左端部）に位置している。そして、これら端部から側壁１４８，１４８が筒状リフレクタ１４１，１４２の外側に延在している。
また、リフレクタ１０１の裏面下縁部には下壁１４９が左右に延在して形成されている。この下壁１４９は筒状リフレクタ１４１，１４２より下側に形成され、その左右の長さは上壁１４７の左右の長さより短くなっている。下壁１４９の上方には内壁１４９ａが所的の間隔をもって下壁１４９と平行に形成されており、下壁１４９と内壁１４９ａとの間には溝部１４９ｂが形成されている。
また、上壁１４７および側壁１４８は等しい高さとなっているが、下壁１４９は上壁１４７および側壁１４８より低くなっている。また、内壁１４９ａは下壁１４９より高くかつ上壁１４７より低くなっている。
【００３８】
一方、基板取付ベース１０２には、図１４および図１７に示すように、複数のＬＥＤ１５０ａが実装されたＬＥＤ基板１５０がねじ１５１，１５１によって固定されている。複数のＬＥＤ１５０ａはＬＥＤ基板１５０の左側に配置されたＬＥＤ群１５０ａ（Ｌ）と、右側に配置されたＬＥＤ群１５０ａ（Ｒ）と、中央側に配置されたＬＥＤ群１５０ａ（Ｃ）とによって構成されている。ＬＥＤ群１５０ａ（Ｌ）は正面視において、筒状リフレクタ１４１の内側に配置され、ＬＥＤ群１５０ａ（Ｒ）は正面視において、筒状リフレクタ１４２の内側に配置され、ＬＥＤ群１５０（Ｃ）は環状リフレクタ１４３の内側に配置されている。
したがって、ＬＥＤ群１５０ａ（Ｌ）のＬＥＤ１５０ａがレンズ１０５を照らし、ＬＥＤ群１５０ａ（Ｒ）のＬＥＤ１５０ａがレンズ１０６を照らし、ＬＥＤ群１５０ａ（Ｃ）のＬＥＤ１５０がインナーレンズ１２９を照らすようになっている。
【００３９】
また、図１４および図１７に示すように、基板取付ベース１０２は上壁１０２ａと、左右の側壁１０２ｂ，１０２ｂと、下壁１０２ｃとを備えている。上壁１０２ａとＬＥＤ基板１５０との間には溝部１０２ｅが左右に延在して形成されている。また、下壁１０２ｃの上側には所定の隙間をもって内壁１０２ｄが下壁１０２ｃと平行に形成されており、この内壁１０２ｄと下壁１０２ｃとの間に溝部１０２ｆが左右に延在して形成されている。また、内壁１０２ｄの左右両端部が側壁１０２ｂ，１０２ｂに連結されている。
また、側壁１０２ｂは、上側壁１０２ｇと、下側壁１０２ｈと、これらの間に設けられた中間側壁１０２ｉとから構成されている。中間側壁１０２ｉは、上側壁１０２ｇおよび下側壁１０２ｈより高くなっているとともに、平面視において上側壁１０２ｇと繋がる側壁と、下側壁１０２ｈに繋がる側壁と、これら側壁どうしを連結する側壁とから構成されている。
また、上側壁１０２ｇおよび当該上側壁１０２ｇに繋がる側壁と、ＬＥＤ基板１５０との間には溝部１０２ｊが形成されている。
【００４０】
また、ＬＥＤ基板１５０には、その上縁部に略Ｕ字形の切欠部（挿通部）１５２，１５２が左右に離間して形成され、下部には円形状の貫通孔（挿通部）１５３，１５３が左右に離間して形成されている。切欠部１５２および貫通孔１５３は、ＬＥＤ基板１５０中のＬＥＤ１５０ａや配線パターンが設けられていない部位に形成されている。
一方、基板取付ベース１０２には、その上縁部に貫通孔（挿入孔）１５５，１５５が左右に離間して形成され、下部に貫通孔（挿入孔）１５６，１５６が左右に離間して形成されている。
貫通孔１５５，１５５は、切欠部１５２，１５２に臨んで配置され、また、貫通孔１５５，１５５の内径は、切欠部１５２，１５２の幅より小さくなっている。また、貫通孔１５５の内周壁は、ＬＥＤ基板１５０の平面視において、切欠部１５２の内壁より内側に配置されている。
貫通孔１５６，１５６は、貫通孔１５３，１５３に臨んで配置され、また、貫通孔１５６，１５６の内径は、貫通孔１５３，１５３の内径より小さくなっている。また、貫通孔１５６の内周壁は、ＬＥＤ基板１５０の平面視において、貫通孔１５３の内周壁より内側に配置されている。
さらに、貫通孔１５５の底部には円環状の当接面１５５ａが形成され、貫通孔１５６の底部には円環状の当接面１５６ａが形成されている。
【００４１】
そして、図１８〜図２０に示すように、リフレクタ１０１が取り付けられた取付ベース１００に、基板取付ベース１０２が取り付けられている。
すなわち、図１８に示すように、基板取付ベース１０２の上壁１０２ａは、リフレクタ１０１の上壁１４７の上面に被され、基板取付ベース１０２の溝部１０２ｅに上壁１４７が嵌め込まれている。この状態において、溝部１０２ｅの底面に上壁１４７の先端部が当接している。
また、基板取付ベース１０２の下壁１０２ｃは、リフレクタ１０１の下壁１４９の下面に被され、基板取付ベース１０２の溝部１０２ｆに下壁１４９が嵌め込まれている。この下壁１４９の端部は溝部１０２ｆの底面に達していない。
また、基板取付ベース１０２の内壁１０２ｄがリフレクタ１０１の溝部１４９ｂに嵌め込まれている。この状態において、溝部１４９ｂの底面に内壁１０２ｄの先端部が当接している。
【００４２】
また、図１９に示すように、基板取付ベース１０２の貫通孔１５６にリフレクタ１０１のボス１４６が挿入されている。この状態において、貫通孔１５６の底部の当接面１５６ａにボス１４６の先端部が当接している。そして、基板取付ベース１０２の裏側からねじ１６０が貫通孔１５６に挿入されボス１４６のねじ孔にねじ込まれている。
また、図２０に示すように、基板取付ベース１０２の貫通孔１５５にリフレクタ１０１のボス１４５が挿入されている。この状態において、貫通孔１５５の底部の当接面１５５ａにボス１４５の先端部が当接している。そして、基板取付ベース１０２の裏側からねじ１６０が貫通孔１５５に挿入されボス１４５のねじ孔にねじ込まれている。
【００４３】
そして、このような嵌合状態において、つまり、溝部１０２ｅの底面に上壁１４７の先端部が当接するとともに、溝部１４９ｂの底面に内壁１０２ｄの先端部が当接し、さらに貫通孔１５５，１５６の底部の当接面１５５ａ，１５６ａにボス１４５，１４６の先端部に当接している状態において、ＬＥＤ基板１５０およびＬＥＤ１５０ａと、リフレクタ１０１のＬＥＤ基板１５０と対向している面との間には所定の隙間（ＬＥＤ基板１５０の面方と直交する方向の隙間）が設けられている。
【００４４】
このように、本実施の形態では、リフレクタ（中間部材）１０１がＬＥＤ基板１５０およびＬＥＤ１５０ａとの間に隙間を持たせた状態で基板取付ベース１０２に取り付けられているので、意匠部材（カバー部材１０４、取付ベース１００、インナーレンズ１２９、レンズ１０５，１０６）が遊技者から衝撃を受けた場合、この衝撃はリフレクタ１０１から基板取付ベース１０２に伝わるので、当該衝撃のＬＥＤ基板１５０およびＬＥＤ１５０ａへの伝達を抑制できる。したがって、ＬＥＤ基板１５０およびＬＥＤ１５０ａの破損を防止できる。
なお、本実施の形態では、リフレクタ１０１（中間部材）には、カバー部材１０４、取付ベース１００、インナーレンズ１２９、レンズ１０５，１０６等の意匠部材が直接当接しているが、これに限らず、中間部材に意匠部材が間接的に当接していてもよい。要は、中間部材が意匠部材と一体に組み付けられていればよい。このような場合でも、意匠部材が受けた衝撃は中間部材から基板取付ベース１０２に伝わるので、当該衝撃のＬＥＤ基板１５０およびＬＥＤ１５０ａへの伝達を抑制できる。したがって、ＬＥＤ基板１５０およびＬＥＤ１５０ａの破損を防止できる。
【００４５】
また、ＬＥＤ基板１５０の挿通部１５２，１５３を挿通したボス１４５，１４６が基板取付ベース１０２の貫通孔（挿入孔）１５５，１５６に挿入されるとともに当該ボス１４５，１４６の先端部が当接面１５５ａ，１５６ａに当接することで前記隙間が保持されているので、意匠部材（カバー部材１０４、取付ベース１００、インナーレンズ１２９、レンズ１０５，１０６）が遊技者から受けた衝撃はリフレクタ１０１のボス１４５，１４６から基板取付ベース１０２の当接面１５５ａ，１５６ａに確実に伝わる。このため、当該衝撃のＬＥＤ基板１５０およびＬＥＤ１５０ａへの伝達を確実に抑制できる。
また、貫通孔（挿入孔）１５５，１５６の内周壁は、ＬＥＤ基板１５０の平面視において、挿通部１５２，１５３の内壁より内側に配置されているので、意匠部材が遊技者から受けた、ボス１４５，１４６の径方向における衝撃はＬＥＤ基板１５０に伝達されない。このため、このような衝撃によるＬＥＤ基板１５０の破損を防止できる。
【００４６】
また、基板取付ベース１０２の外縁部の下部に設けられた内壁１０２ｄがリフレクタ１０１に設けられた溝部１４９ｂの底部に当接し、リフレクタ１０１の外縁部の上部に設けられた上壁１４７が基板取付ベース１０２に設けられた溝部１０２ｅの底部に当接し、リフレクタ１０１の外縁部の下部に設けられた内壁１４９ａが基板取付ベース１０２に設けられた溝部１０２ｋの底部に当接し、リフレクタ１０１の外縁部の側部に設けられた側壁１４８が基板取付ベース１０２に設けられた溝部１０２ｊの底部に当接することで前記隙間が保持されているので、意匠部材（カバー部材１０４、取付ベース１００、インナーレンズ１２９、レンズ１０５，１０６）が遊技者から受けた衝撃は内壁１０２ｄ、上壁１４７、側壁１４８、内壁１４９ａから基板取付ベース１０２に確実に伝わるので、当該衝撃のＬＥＤ基板１５０およびＬＥＤ１５０ａへの伝達を確実に抑制できる。したがって、ＬＥＤ基板１５０およびＬＥＤ１５０ａの破損を防止できる。
【００４７】
また、基板取付ベース１０２を通してボス１４５，１４６にねじ１６０をねじ込むことによってリフレクタ１０１に基板取付ベース１０２が固定されているので、基板取付ベース１０２をリフレクタ１０１に容易に取り付けることができる。
このリフレクタ１０１は、上述した取付ベース１００、前面カバー１１０、レンズ１０５，１０６、レンズカバー１１１，１１２、インナーレンズ１２９、ボールベース１２８等が一体化された組立体１３０に取り付けられているので、リフレクタ１０１に基板取付ベース１０２を取り付けることによって、遊技機の前面部に設ける意匠部３５を組み立てることができる。
【００４８】
なお、本実施の形態では、ＬＥＤ基板１５０およびＬＥＤ１５０ａを搭載している意匠部３５を例にとって説明したが、本発明は、ＬＥＤ基板１５０およびＬＥＤ１５０ａに限らず、電子基板およびこの電子基板に実装された電子部品を有する意匠部３５についても適用できる。
【符号の説明】
【００４９】
３５  意匠部
１００  取付ベース（不透明意匠部材）
１０５，１０６  レンズ  （透光性意匠部材）
１１１，１１２  レンズカバー（不透明意匠部材）
１１３  装飾部材（不透明意匠部材）
Ｔ１〜Ｔ４  取付部
１２５  取付部
１５０  ＬＥＤ基板
１５０ａ  ＬＥＤ（発光素子）
【図１】
2018153456.tif 000003
【図２】
2018153456.tif 000004
【図３】
2018153456.tif 000005
【図４】
2018153456.tif 000006
【図５】
2018153456.tif 000007
【図６】
2018153456.tif 000008
【図７】
2018153456.tif 000009
【図８】
2018153456.tif 000010
【図９】
2018153456.tif 000011
【図１０】
2018153456.tif 000012
【図１１】
2018153456.tif 000013
【図１２】
2018153456.tif 000014
【図１３】
2018153456.tif 000015
【図１４】
2018153456.tif 000016
【図１５】
2018153456.tif 000017
【図１６】
2018153456.tif 000018
【図１７】
2018153456.tif 000019
【図１８】
2018153456.tif 000020
【図１９】
2018153456.tif 000021
【図２０】
2018153456.tif 000022